(57)【要約】【課題】所謂ワンタッチ操作で屋根上に確固に取り付けできる屋根用取付金具を提供すること。【解決手段】各種屋根上設置物を取り付け可能な金具本体１に、一対の脚部10が左右に対向配設され、この一対の脚部10の下部に屋根２の立ハゼ３を左右から挟持固定可能な挟持部７が設けられ、金具本体１を立ハゼ３に上方から押し下げると、左右の挟持部７の対向間隔が拡張するように弾性変形して左右の挟持部７間に立ハゼ３を圧入挟持固定し得るように構成され、前記挟持部７は、立ハゼ３の首部４と幅広頭部５との間の段差状顎部６に左右から挟持圧接するハゼ顎挟持部８と、立ハゼ３の幅広頭部５に左右から挟持圧接するハゼ頭挟持部９とを備えている屋根用取付金具。【選択図】図３
2018003352.tif 000002
【特許請求の範囲】
【請求項１】
ソーラーパネルや雪止めなどの各種屋根上設置物を取り付け可能な金具本体に、屋根の立ハゼに挟持固定可能な挟持部が設けられている屋根用取付金具において、前記金具本体に、一対の脚部が左右に対向配設されると共に、この一対の脚部の下部に前記立ハゼを左右から挟持固定可能な前記挟持部が設けられ、この挟持部は、その左右対向間隔が前記立ハゼの幅広頭部の左右幅より幅狭な対向間隔に設定され、この挟持部若しくは前記脚部が弾性変形可能な素材で構成されていて、左右の挟持部を前記立ハゼに上方からあてがいつつ前記金具本体を押し下げると、左右の挟持部の対向間隔が拡張するようにこの挟持部若しくは脚部が弾性変形して左右の挟持部間に立ハゼを圧入挟持固定し得るように構成されており、前記挟持部は、前記立ハゼの首部と幅広頭部との間の段差状顎部に左右から挟持圧接するハゼ顎挟持部と、立ハゼの幅広頭部に左右から挟持圧接するハゼ頭挟持部とを備えていることを特徴とする屋根用取付金具。
【請求項２】
前記挟持部は、前記ハゼ顎挟持部と前記ハゼ頭挟持部とが前後方向に並設状態に設けられていることを特徴とする請求項１記載の屋根用取付金具。
【請求項３】
前記脚部が金属板で構成され、この脚部の下端が対向内側に向けて折曲されてこの内向き折曲板部の内側先端部が前記挟持部として構成されていると共に、この挟持部は、前後に複数分割形成されて、この分割片のいずれかが前記ハゼ顎挟持部として構成され、このハゼ顎挟持部の前側若しくは後側に存する分割片が前記ハゼ頭挟持部として構成されていることを特徴とする請求項１，２のいずれか１項に記載の屋根用取付金具。
【請求項４】
前記金具本体は、一枚の弾性変形可能な金属板で構成され、この金属板の左右両端部が下方に向けて折曲されてこの左右の下向き折曲板部が一対の前記脚部として構成され、この左右の脚部の下端部が対向内側に向けて折曲されてこの左右の内向き折曲板部の内側先端部が前記挟持部として構成されていることを特徴とする請求項１〜３のいずれか１項に記載の屋根用取付金具。
【発明の詳細な説明】
【技術分野】
【０００１】
本発明は、立ハゼを有する屋根上に、ソーラーパネルや雪止めなどの各種屋根上設置物を取り付けるために使用する屋根用取付金具に関するものである。
【背景技術】
【０００２】
出願人は、この種の立ハゼを有する屋根上に取り付け可能な屋根用取付金具として、特許第５６５１２０８号（特許文献１）を保有している。
【０００３】
この特許文献１を簡単に説明すると、屋根上に設置するソーラーパネルやソーラーパネル取付用架台などの屋根上設置物を取り付け可能な金具本体に、屋根の立ハゼを左右から挟持固定する左右一対の挟持部が設けられ、前記金具本体は、前記一対の挟持部のいずれか一方を具備する第一金具半体と、一対の挟持部のいずれか他方を具備する第二金具半体とから成ると共に、一方の挟持部と他方の挟持部とが接離移動するように前記第一金具半体と前記第二金具半体とがスライド自在に連結されている。
【０００４】
また、前記第一金具半体は、天板部の左右いずれか一端部に前記一方の挟持部が垂設され、天板部の左右いずれか他端部に挟持操作ネジが水平方向に螺着される螺着孔部を具備するネジ受板部が垂設されると共に、このネジ受板部の上部に、前記第二金具半体をスライド自在に挿通連結可能なスライド連結孔が水平方向に貫通形成された構成とされ、前記第二金具半体は、前記第一金具半体のスライド連結孔にスライド挿脱自在に挿通連結する挿入板部の基端部に前記他方の挟持部が垂設されると共に、この他方の挟持部に、前記螺着孔部と連通して前記挟持操作ネジを挿通可能且つ挟持操作ネジの頭部は挿通不能なネジ通し孔が設けられた構成とされていて、このネジ通し孔から挿通して前記螺着部に螺着した挟持操作ネジを螺入方向に螺動操作することにより、前記一対の挟持部が接近方向にスライドして前記立ハゼを締付挟持固定できるように構成されている。
【先行技術文献】
【特許文献】
【０００５】
【特許文献１】特許第５６５１２０８号公報
【発明の概要】
【発明が解決しようとする課題】
【０００６】
本発明は、この種の立ハゼを有する屋根上に取り付け可能な屋根用取付金具の改良に係るもので、挟持操作ネジの操作が不要で、立ハゼに上方からあてがいつつ金具本体を押し下げるだけの所謂ワンタッチ操作で屋根上に容易に且つ確固に固定できる実用性に優れた屋根用取付金具を提供するものである。
【課題を解決するための手段】
【０００７】
添付図面を参照して本発明の要旨を説明する。
【０００８】
ソーラーパネルや雪止めなどの各種屋根上設置物を取り付け可能な金具本体１に、屋根２の立ハゼ３に挟持固定可能な挟持部７が設けられている屋根用取付金具において、前記金具本体１に、一対の脚部10が左右に対向配設されると共に、この一対の脚部10の下部に前記立ハゼ３を左右から挟持固定可能な前記挟持部７が設けられ、この挟持部７は、その左右対向間隔が前記立ハゼ３の幅広頭部５の左右幅より幅狭な対向間隔に設定され、この挟持部７若しくは前記脚部10が弾性変形可能な素材で構成されていて、左右の挟持部７を前記立ハゼ３に上方からあてがいつつ前記金具本体１を押し下げると、左右の挟持部７の対向間隔が拡張するようにこの挟持部７若しくは脚部10が弾性変形して左右の挟持部７間に立ハゼ３を圧入挟持固定し得るように構成されており、前記挟持部７は、前記立ハゼ３の首部４と幅広頭部５との間の段差状顎部６に左右から挟持圧接するハゼ顎挟持部８と、立ハゼ３の幅広頭部５に左右から挟持圧接するハゼ頭挟持部９とを備えていることを特徴とする屋根用取付金具に係るものである。
【０００９】
また、前記挟持部７は、前記ハゼ顎挟持部８と前記ハゼ頭挟持部９とが前後方向に並設状態に設けられていることを特徴とする請求項１記載の屋根用取付金具に係るものである。
【００１０】
また、前記脚部10が金属板で構成され、この脚部10の下端が対向内側に向けて折曲されてこの内向き折曲板部の内側先端部が前記挟持部７として構成されていると共に、この挟持部７は、前後に複数分割形成されて、この分割片のいずれかが前記ハゼ顎挟持部８として構成され、このハゼ顎挟持部８の前側若しくは後側に存する分割片が前記ハゼ頭挟持部９として構成されていることを特徴とする請求項１，２のいずれか１項に記載の屋根用取付金具に係るものである。
【００１１】
また、前記金具本体１は、一枚の弾性変形可能な金属板で構成され、この金属板の左右両端部が下方に向けて折曲されてこの左右の下向き折曲板部が一対の前記脚部10として構成され、この左右の脚部10の下端部が対向内側に向けて折曲されてこの左右の内向き折曲板部の内側先端部が前記挟持部７として構成されていることを特徴とする請求項１〜３のいずれか１項に記載の屋根用取付金具に係るものである。
【発明の効果】
【００１２】
本発明は上述のように構成したから、左右の挟持部を屋根の立ハゼに上方からあてがいつつ金具本体を押し下げるだけの所謂ワンタッチ操作で容易に屋根上に固定でき、しかも、ハゼ顎挟持部が立ハゼの首部と幅広頭部との間の段差状顎部に左右から挟持圧接することによって金具本体の上方への強固な外れ止め作用を発揮できると共に、ハゼ頭挟持部が立ハゼの幅広頭部に左右から挟持圧接することによって立ハゼの長さ方向（屋根勾配方向）への強固な位置ズレ防止作用をも発揮できるため、屋根に対し確固に位置決め固定可能となる極めて実用性に優れた屋根用取付金具となる。
【００１３】
また、請求項２，３記載の発明においては、ハゼ顎挟持部とハゼ頭挟持部とを備えた挟持部を簡易構成により容易に設計実現可能となる一層実用性に優れた構成の屋根用取付金具となる。
【００１４】
また、請求項４記載の発明においては、一枚の弾性変形可能な金属板から前記作用・効果を発揮する本発明を容易に設計実現可能となる一層実用性に優れた構成の屋根用取付金具となる。
【図面の簡単な説明】
【００１５】
【図１】本実施例を示す斜視図である。
【図２】本実施例を示す側断面図である。
【図３】本実施例の金具本体を、屋根の立ハゼの上方に配した様子を示す説明拡大正面図である。
【図４】図３に続いて、金具本体を押し下げることにより左右の挟持部間に立ハゼを圧入する様子を示す説明拡大正面図である。
【図５】図４に続いて、金具本体を立ハゼ（屋根）に固定した状態（本実施例の使用状態）を示す説明拡大正面図である。
【図６】図５の説明側面図である。
【発明を実施するための形態】
【００１６】
好適と考える本発明の実施形態を、図面に基づいて本発明の作用を示して簡単に説明する。
【００１７】
挟持部７を屋根２の立ハゼ３に上方からあてがいつつ金具本体１を押し下げると、この挟持部７若しくは挟持部７が設けられている脚部10が弾性変形可能な素材で構成されていることにより、左右の挟持部７の対向間隔が拡張するように弾性変形して左右の挟持部７間に立ハゼ３を圧入挟持固定することができる。
【００１８】
具体的には、挟持部７は、その左右対向間隔が立ハゼ３の幅広頭部５の左右幅より幅狭な対向間隔に設定されているため、この挟持部７がその対向間隔より左右幅の広い幅広頭部５に接することで挟持部７の対向間隔が拡張するように弾性変形し、左右の挟持部７間に立ハゼ３が圧入して左右の挟持部７が立ハゼ部３に挟持固定する（金具本体１が立ハゼ３に固定される）ことになる。
【００１９】
また、この際、挟持部７は、そのハゼ顎挟持部８が前記立ハゼ３の首部４と幅広頭部５との間の段差状顎部６に左右から挟持圧接すると共に、そのハゼ頭挟持部９が立ハゼ３の幅広頭部５に左右から挟持圧接することになる。
【００２０】
そのため、強風の吹き上げなどにより金具本体１に立ハゼ部３に対して上動しようとする荷重が加わっても、ハゼ顎挟持部８が立ハゼ３の段差状顎部６に圧接していることによってこの上動が阻止（金具本体１が上方へ外れ止め）されることとなり、また、金具本体１に立ハゼ３に対してその長さ方向（屋根２の勾配方向）に移動しようとする荷重が加わっても、ハゼ頭挟持部９が立ハゼ３の幅広頭部５に左右から圧接していることによってこの移動に抵抗を生じて金具本体１の位置ズレが防止されることになる。
【００２１】
従って、本発明は、所謂ワンタッチ操作で立ハゼ３（屋根２）に対し簡易に固定できる構成でありながら、立ハゼ３に対する強固な位置決め作用が発揮されて確固な固定状態となる。
【実施例】
【００２２】
本発明の具体的な実施例について図面に基づいて説明する。
【００２３】
本実施例は、嵌合式の立平葺き屋根２の立ハゼ３に対して固定可能な立平葺き屋根用取付金具に適用したもので、例えばソーラーパネルやソーラーパネル取付用架台や雪止め金具や屋根融雪装置などの各種屋根上設置物を取り付け可能な金具本体１に、前記立ハゼ３に挟持固定可能な挟持部７が設けられている。尚、本発明は、立平葺き屋根以外の立ハゼ付屋根用にも適用可能である。
【００２４】
本実施例の金具本体１は、一対の脚部10が左右に対向配設されると共に、この一対の脚部10の下部に前記挟持部７が設けられている。
【００２５】
具体的には、金具本体１は、図１に示すように、左右方向に長さを有する一枚の弾性変形可能な帯状金属板から成り、この金属板の左右両端部が下方に垂下折曲されてこの左右の下向き折曲板部が前記一対の脚部10として構成され、この左右の脚部10の下端部が対向内側に向けて略水平に折曲された後、この内向き水平折曲板部の先端部が対向内側の斜め上方に向けて折曲されて、この左右の内向き傾斜折曲板部が前記挟持部７として構成され、さらにこの挟持部７と前記脚部10の間の内向き水平折曲板部が立平葺き屋根２の上面に載置する載置部11として構成されている。
【００２６】
また、本実施例の挟持部７は、その左右対向間隔が前記立ハゼ３の首部４の左右幅と同等若しくはやや幅広な対向間隔であって且つ立ハゼ３の首部４上方に存する幅広頭部５の左右幅より幅狭な対向間隔に設定され、左右の挟持部７を前記立ハゼ３に上方からあてがいつつ前記金具本体１を押し下げると、左右の挟持部７の対向間隔が拡張するようにこの挟持部７や前記脚部10が弾性変形して左右の挟持部７間に立ハゼ３を圧入挟持固定し得るように構成されている。
【００２７】
また、この挟持部７は、前記立ハゼ３の首部４と幅広頭部５との間の段差状顎部６に左右から挟持圧接するハゼ顎挟持部８と、立ハゼ３の幅広頭部５に左右から挟持圧接するハゼ頭挟持部９とを備え、このハゼ顎挟持部８とハゼ頭挟持部９とが、前記載置部11の対向先端側に前後並設状態にして設けられている。
【００２８】
更に詳しくは、前記載置部11の対向先端側が、前後に複数分割（図面は三分割）形成されている（図１（ｂ），図２参照）と共に、この各分割片が対向内側の斜め上方へ向かって立ち上がるように折曲形成されている。
【００２９】
そして、この三箇所の分割片のうちの前後に存する分割片（の先端縁）が、前記ハゼ顎挟持部８として構成され、このハゼ顎挟持部８の上向き対向先端部が、立ハゼ３の段差状顎部６に下方から圧接して金具本体１の上方への外れ止め作用を発揮するように構成されている。
【００３０】
また、この前後のハゼ顎挟持部８間に存する中央の分割片は、ハゼ顎挟持部８より高さのある背高形状（ハゼ顎挟持部８の高さの二倍以上の高さを有する形状）に形成されて、この中央の背高分割片が前記ハゼ頭挟持部９として構成されている。
【００３１】
また、このハゼ頭挟持部９は、前記載置部11に対する立上がり折曲角度が前記ハゼ顎挟持部８の立上がり折曲角度より急角度で上方へ立ち上がるように折曲形成されて、このハゼ顎挟持部８とハゼ頭挟持部９とが略同等の左右対向間隔（前記立ハゼ３の首部４の左右幅と同等若しくはやや幅広な対向間隔であって且つ立ハゼ３の首部４上方に存する幅広頭部５の左右幅より幅狭な対向間隔）を有するように設定構成され、さらにこのハゼ頭挟持部９の上端部付近が対向外側に向けてくの字状に折曲されて、この折曲部分の対向内側とその付近が幅広頭部５に左右から挟持圧接することにより、立ハゼ３に対し金具本体１がズレ止め作用を発揮するように構成されている（図３〜図５参照）。
【００３２】
以上のように構成した本実施例の、屋根２への固定方法を説明する。
【００３３】
挟持部７を屋根２の立ハゼ３に上方からあてがいつつ金具本体１を押し下げると、左右の挟持部７、即ち左右のハゼ顎挟持部８と左右のハゼ頭挟持部９の対向間隔が拡張するように少なくともこのハゼ顎挟持部８とハゼ頭挟持部９とが弾性変形して左右の挟持部７間に立ハゼ３が圧入し、左右のハゼ顎挟持部８間を幅広頭部５が通過してこのハゼ顎挟持部８が幅広頭部５より幅狭な首部４に至ると、弾性変形しているハゼ顎挟持部８が形状復帰してハゼ顎挟持部８が前記立ハゼ３の首部４と幅広頭部５との間の段差状顎部６に左右下方から挟持圧接すると共に、ハゼ頭挟持部９がその形状復帰付勢力により立ハゼ３の幅広頭部５に左右から挟持圧接して、挟持部７により金具本体１が立ハゼ３（屋根１）に挟持固定することになる（図３〜図５参照）。
【００３４】
即ち、本実施例は、所謂ワンタッチ操作によって立ハゼ３（屋根２）に対し簡易に固定できる。
【００３５】
また、この固定状態においては、金具本体１が立ハゼ部３に対して上動しようとしても、ハゼ顎挟持部８が立ハゼ３の段差状顎部６に左右から圧接しているためにこの上動が阻止（金具本体１が上方へ外れ止め）されると共に、ハゼ顎挟持部８が前後に設けられているために金具本体１の前若しくは後ろだけが上動してしまうような不都合もなく、確固に位置決められ、また、金具本体１が立ハゼ３に対してその長さ方向（屋根２の勾配方向）に移動しようとしても、ハゼ頭挟持部９が立ハゼ３の幅広頭部５に左右から圧接しているために、この移動にも抵抗を生じて金具本体１の位置ズレが防止される強固な位置決め固定状態となる。
【００３６】
このようにして屋根２上に固定された本屋根用取付金具の金具本体１に、図示省略の屋根上設置物をビス止めや溶接等によって取付可能である。
【００３７】
尚、本発明は、本実施例に限られるものではなく、各構成要件の具体的構成は適宜設計し得るものである。
【符号の説明】
【００３８】
１  金具本体
２  屋根
３  立ハゼ
５  幅広頭部
６  段差状顎部
７  挟持部
８  ハゼ顎挟持部
９  ハゼ頭挟持部
10  脚部
【図１】
2018003352.tif 000003
【図２】
2018003352.tif 000004
【図３】
2018003352.tif 000005
【図４】
2018003352.tif 000006
【図５】
2018003352.tif 000007
【図６】
2018003352.tif 000008